【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
軸方向の一端側において周方向に延在するとともに、前記軸方向の前記一端側に開口する第１溝を有する第１部分と、
前記軸方向の他端側において周方向に延在するとともに、径方向に開口する第２溝を有する第２部分と、を備え、
前記第１部分は、前記径方向において互いに対向して前記第１溝を形成する一対の第１溝壁部のうち、前記第２溝の開口方向における下流側に位置する一方の第１溝壁部に前記軸方向に沿って形成された第１切欠を有し、
前記第１溝は、ガスタービンの１段静翼の内側シュラウド又は外側シュラウドから前記軸方向に突出するように前記周方向に沿って設けられた突出部が嵌合可能に構成され、
前記第２溝は、前記ガスタービンの燃焼筒の出口フランジが嵌合可能に構成され、
前記第１切欠は、前記１段静翼の前方部に設けられた凸部が係合するように構成された
ガスタービンの環状シール。
【請求項２】
軸方向の一端側において周方向に延在するとともに、前記軸方向の前記一端側に開口する第１溝を有する第１部分と、
前記軸方向の他端側において周方向に延在するとともに、径方向に開口する第２溝を有する第２部分と、を備え、
前記第１部分は、前記径方向において互いに対向して前記第１溝を形成する一対の第１溝壁部のうち、前記第２溝の開口方向における下流側に位置する一方の第１溝壁部に前記軸方向に沿って形成された第１切欠を有し、
前記第１切欠は、前記一方の第１溝壁部における前記一端側の開口端から、前記第１溝の第１溝底部に亘って設けられた
ガスタービンの環状シール。
【請求項３】
前記第１切欠は、
前記一方の第１溝壁部に設けられ、前記軸方向に沿って延びる第１軸方向切欠部と、
前記第１溝底部に設けられ、前記径方向に沿って延びる第１径方向切欠部と、を含む
ことを特徴とする請求項２に記載のガスタービンの環状シール。
【請求項４】
前記第１軸方向切欠部の前記軸方向における長さは、前記第１径方向切欠部の前記径方向における長さよりも長い
ことを特徴とする請求項３に記載のガスタービンの環状シール。
【請求項５】
前記第１溝底部に形成される前記第１切欠の底は、前記軸方向に沿った断面において、前記軸方向において前記一端側に向かうにつれて前記径方向にて前記第２溝の前記開口方向の上流側に向かうテーパ面を有する
請求項２乃至４の何れか一項に記載のガスタービンの環状シール。
【請求項６】
軸方向の一端側において周方向に延在するとともに、前記軸方向の前記一端側に開口する第１溝を有する第１部分と、
前記軸方向の他端側において周方向に延在するとともに、径方向に開口する第２溝を有する第２部分と、を備え、
前記第１部分は、前記径方向において互いに対向して前記第１溝を形成する一対の第１溝壁部のうち、前記第２溝の開口方向における下流側に位置する一方の第１溝壁部に前記軸方向に沿って形成された第１切欠を有し、
前記第２部分は、前記軸方向において互いに対向して前記第２溝を形成する一対の第２溝壁部のうち、前記軸方向における前記他端側に位置する一方の第２溝壁部から、前記第２溝の第２溝底部に亘って設けられた第２切欠を有する
ガスタービンの環状シール。
【請求項７】
前記第２切欠は、
前記一方の第２溝壁部に設けられ、前記径方向に沿って延びる第２径方向切欠部と、
前記第２溝底部に設けられ、前記軸方向に沿って延びる第２軸方向切欠部と、を含む
ことを特徴とする請求項６に記載のガスタービンの環状シール。
【請求項８】
前記第２径方向切欠部の前記径方向における長さは、前記第２軸方向切欠部の前記軸方向における長さよりも長い
ことを特徴とする請求項７に記載のガスタービンの環状シール。
【請求項９】
前記周方向に配列されて前記環状シールを形成する複数の円弧シールセクションを備える
請求項１乃至８の何れか一項に記載のガスタービンの環状シール。
【請求項１０】
前記周方向に互いに隣り合う一対の前記円弧シールセクション間の分割線の少なくとも一部は、前記周方向において前記第１切欠の形成範囲とオーバラップしている
請求項９に記載のガスタービンの環状シール。
【請求項１１】
前記周方向に互いに隣り合う一対の前記円弧シールセクション間の分割線は、
前記第１溝の第１溝底部を前記径方向に沿って通過して前記第１切欠に至る第１径方向線と、
前記第１径方向線の前記第１切欠とは反対側の端部に接続される一端を有し、前記周方向に沿って延在する周方向線と、
前記周方向線の他端に接続され、前記径方向に沿って前記第２溝の第２溝底部に至る第２径方向線と、
を含む
請求項９又は１０に記載のガスタービンの環状シール。
【請求項１２】
前記第１径方向線、前記周方向線及び前記第２径方向線は、前記周方向において前記第１切欠の形成範囲とオーバラップしている
請求項１１に記載のガスタービンの環状シール。
【請求項１３】
前記第１溝は、前記径方向において、前記第２溝の第２溝底部に対して前記第２溝の前記開口方向の下流側に位置する
請求項１乃至１２の何れか一項に記載のガスタービンの環状シール。
【請求項１４】
前記第２溝は、前記軸方向において、前記第１溝の第１溝底部に対して前記他端側に位置する
請求項１乃至１３の何れか一項に記載のガスタービンの環状シール。
【請求項１５】
前記第１溝は、前記ガスタービンの１段静翼の内側シュラウド又は外側シュラウドから前記軸方向に突出するように前記周方向に沿って設けられた突出部が嵌合可能に構成され、
前記第２溝は、前記ガスタービンの燃焼筒の出口フランジが嵌合可能に構成された
請求項２乃至１４の何れか一項に記載のガスタービンの環状シール。
【請求項１６】
各々が出口フランジを有し、周方向に配置される複数の燃焼筒と、
軸方向において前記燃焼筒の下流側に設けられる複数の１段静翼と、
前記燃焼筒の前記出口フランジと、前記１段静翼の外側シュラウド又は内側シュラウドの少なくとも一方と、の間に設けられる請求項１乃至１５の何れか一項に記載の環状シールと、
を備えるガスタービン。
【請求項１７】
各々が出口フランジを有し、周方向に配置される複数の燃焼筒と、
軸方向において前記燃焼筒の下流側に設けられる複数の１段静翼と、
前記燃焼筒の前記出口フランジと、前記１段静翼の外側シュラウド又は内側シュラウドの少なくとも一方と、の間に設けられる環状シールと、を備え、
前記環状シールは、
軸方向の一端側において周方向に延在するとともに、前記軸方向の前記一端側に開口する第１溝を有する第１部分と、
前記軸方向の他端側において周方向に延在するとともに、径方向に開口する第２溝を有する第２部分と、を含み、
前記第１部分は、前記径方向において互いに対向して前記第１溝を形成する一対の第１溝壁部のうち、前記第２溝の開口方向における下流側に位置する一方の第１溝壁部に前記軸方向に沿って形成された第１切欠を有し、
前記環状シールの前記第２部分は、前記軸方向において互いに対向して前記第２溝を形成する一対の第２溝壁部のうち、前記軸方向における前記他端側に位置する一方の第２溝壁部から、前記第２溝の第２溝底部に亘って設けられた第２切欠を有し、
前記径方向において前記第２切欠とオーバラップするように前記周方向に隣り合う一対の前記燃焼筒の側壁部間に前記径方向に沿って形成されるシール収容空間に設けられた径方向シールを備える
ガスタービン。